(57)【特許請求の範囲】
【請求項１】
２つの日車を含むカレンダ機構付き時計において、
日付のうちの一の位を表示する第一日車（５１２）と、
日付のうちの十の位を表示する第二日車（５２２）とを備え、
前記第一日車（５１２）は、表輪列の回転によって前記第一日車（５１２）を回転させるための第一日車歯車部（５１６）と、前記第二日車（５２２）を回転させかつ前記第二日車（５２２）の位置を定めるための駆動カム（５３２）とを備えており、
さらに、前記第一日車（５１２）に設けられた駆動カム（５３２）に接触する部分、および、前記第二日車（５２２）の歯車部（５２３）に噛み合う歯車部分を有する駆動カムレバー（５４２）と、
前記第二日車（５２２）の歯車部（５２３）に噛み合う歯車部分を有する回転制御レバー（５４４）と、
前記第二日車（５２２）の回転を規制するために前記回転制御レバー（５４４）に弾性力を加える回転制御レバーばね（５４６）と、
を備えることを特徴とするカレンダ機構付き時計。
【請求項２】
請求項１に記載のカレンダ機構付き時計において、前記第一日車（５１２）の回転中心と、前記第二日車（５２２）の回転中心は同一の位置に配置され、前記第二日車（５２２）の第二日文字表示面（５２３）は、９０度以下の開角度で形成されることを特徴とするカレンダ機構付き時計。
【請求項３】
請求項１に記載のカレンダ機構付き時計において、前記第一日車（５１２）は、「１」、「１」、「２」、「３」、「４」、「５」、「６」、「７」、「８」、「９」、「０」、「１」、「２」、「３」、「４」、「５」、「６」、「７」、「８」、「９」、「０」、「１」、「２」、「３」、「４」、「５」、「６」、「７」、「８」、「９」、「０」の３１個の数字を含む第一日文字表示面（５１３）を有し、
前記第二日車（５２２）は、「１」、「２」、「３」、「０」の数字を含む第二日文字表示面（５２３）、又は、「１」、「２」、「３」の数字を含む第二日文字表示面（５２３）を有する、
ことを特徴とするカレンダ機構付き時計。
【請求項４】
請求項１に記載のカレンダ機構付き時計において、前記第一日車（５１２）に設けられた駆動カム（５３２）は、それぞれの半径が異なった４つの同心円を含む形状をもつように構成されたカム円弧部を含み、
前記駆動カムレバー（５４２）のカム接触部分は、常に前記駆動カム（５３２）に対して接触するように構成されており、前記駆動カムレバー（５４２）が前記駆動カム（５３２）に接触して前記第二日車（５２２）の回転方向の位置を定めるように構成されており、前記第二日車（５２２）は、前記第一日車（５１２）の回転中心を中心とする扇形の範囲内で移動することができるように構成される、
ことを特徴とするカレンダ機構付き時計。
【請求項５】
請求項３に記載のカレンダ機構付き時計において、前記第二日車（５２２）は、切り欠きを設けた扇形の第二日文字表示面（５２３）を備え、前記第二日文字表示面（５２３）は、（２＊３６０／３１）度から（３＊３６０／３１）度のピッチ間隔で形成された４個の台形部分（５２２Ｊ）と、（２＊３６０／３１）度から（３＊３６０／３１）度のピッチ間隔で形成された３個の切り欠き部（５２２Ｋ）とを含み、第二日文字表示面（５２３）には、「１」の数字と、「２」の数字と、「３」の数字と、「０」の数字からなる数字の組が設けられることを特徴とするカレンダ機構付き時計。
【請求項６】
請求項３に記載のカレンダ機構付き時計において、前記第二日車（６２２）は、扇形の第二日文字表示面（６２３）を備え、前記第二日文字表示面（６２３）には、「１」の数字と、「２」の数字と、「３」の数字と、「０」の数字からなる数字の組が設けられ、前記第二日文字表示面（６２３）は、前記第一日文字表示面（６１３）の内側に配置されることを特徴とするカレンダ機構付き時計。
【請求項７】
請求項１に記載のカレンダ機構付き時計において、小秒針（８３０）によって「秒」に関する情報を表示する秒表示機構を更に備え、表輪列の回転に基づいて秒を表示するために回転する秒表示車（８２０）の回転中心が、前記第二日文字表示面（５２３）が移動する領域の外側であって、かつ、前記第一日文字表示面（５１３）の内側に配置されることを特徴とするカレンダ機構付き時計。
【請求項８】
請求項１に記載のカレンダ機構付き時計において、小表示針によって時、暦に関する情報を表示する輪列機構を備え、表輪列の回転に基づいて前記情報を表示するために回転する表示車の回転中心が、前記第二日文字表示面（５２３）が移動する領域の外側であって、かつ、前記第一日文字表示面（５１３）の内側に配置されることを特徴とするカレンダ機構付き時計。
【発明の詳細な説明】
【技術分野】
【０００１】
本発明は、日付のうちの一の位を表示する第一日車と、日付のうちの十の位を表示する第二日車とを有するカレンダ機構付き時計に関する。
【背景技術】
【０００２】
一般に、時計の駆動部分を含む機械体を「ムーブメント」と称する。ムーブメントに文字板、針を取り付けて、時計ケースの中に入れて完成品にした状態を時計の「コンプリート」と称する。時計の基板を構成する地板の両側のうちで、時計ケースのガラスのある方の側、すなわち、文字板のある方の側をムーブメントの「裏側」又は「ガラス側」又は「文字板側」と称する。地板の両側のうちで、時計ケースの裏蓋のある方の側、すなわち、文字板と反対の側をムーブメントの「表側」又は「裏蓋側」と称する。ムーブメントの「表側」に組み込まれる輪列を「表輪列」と称する。ムーブメントの「裏側」に組み込まれる輪列を「裏輪列」と称する。
【０００３】
従来の第一タイプのカレンダ機構付き時計は、大型窓を有する文字盤と、１つの「１」の数字と、３組の「１」から「９」および「０」の数字を含む３１個の数字を配置し、かつ４本の歯を設けた１の位用回転体（すなわち、第一日車）を備え、さらに、４本の歯を有する１０の位用星形板と、「０」、「１」、「２」、「３」の数字を配置した１０の位用回転体（すなわち、第二日車）を備えている。１の位用回転体（すなわち、第一日車）が、直接、１０の位用回転体（すなわち、第二日車）を回転させている（例えば、特許文献１参照）。
【０００４】
従来の第二タイプのカレンダ機構付き時計は、日付の一の位を表示する第一日車と、日付の十の位を表示する第二日車とを含む。第一日車は円盤状に形成され、表面には「０」から「９」の１０個の数字が配置されている。第二日車は扇形に形成され、表面には「０」、「１」、「２」、「３」の４個の数字が配置されている（例えば、特許文献２参照）。
【０００５】
従来の第三タイプのカレンダ機構付き時計は、日付の一の位を表示する第一日車と、日付の十の位を表示する第二日車とを含む。第一日車は円盤状に形成され、表面には「０」から「９」の１０個の数字が配置されている。第一日車は、日文字が特定の角度の範囲内にあるように扇形に作動する。第二日車は円盤状に形成され、表面には「０」、「１」、「２」、「３」の４個の数字が配置されている（例えば、特許文献３参照）。
【０００６】
従来の第四タイプのカレンダ機構付き時計は、日付の一の位を表示する第一日車と、日付の十の位を表示する第二日車とを含む。第一日車は円盤状に形成され、表面には「０」から「９」の１０個の数字が３組配置され、さらに、１個の「１」の数字が配置され、合計３１個の数字が配置されている。第二日車は円盤状に形成され、表面には「０」、「１」、「２」、「３」の４個の数字が３組配置され、合計１２個の数字が配置されている（例えば、特許文献４参照）。
【０００７】
（３）特許文献のリスト
以下に、上述した従来のカレンダ機構付き時計に関する特許文献のリストを示す。
【特許文献１】特許第３３９００２１号公報
【特許文献２】欧州特許出願公開第ＥＰ１２２００５９Ａ１号公報
【特許文献３】スイス特許第ＣＨ６９０５１５Ａ５号公報
【特許文献４】特開２００５−２１４８３７号公報
【発明の開示】
【発明が解決しようとする課題】
【０００８】
従来の第一タイプのカレンダ機構付き時計は、１０の位用回転体（すなわち、第二日車）の位置により、日付け表示位置が決まってしまい、デザインバリエーションの展開ができない課題があった。また、１の位用回転体の（３６０°／３１＝１１．６度）の回転によって、１０の位用回転体を９０度回転させるので、１０の位用回転体の作動が不安定になる課題があった。
【０００９】
従来の第二タイプのカレンダ機構付き時計では、日付の一の位を表示する第一日車の位置により、日付け表示位置が決まってしまい、デザインバリエーションの展開ができない課題があった。また、日送り機構が複雑になる課題があった。
【００１０】
従来の第三タイプのカレンダ機構付き時計では、日付の十の位を表示する第二日車の位置が、日付の一の位を表示する第一日車の位置より内側になるので、日付け表示位置を時計の外周付近に配置できず、デザインバリエーションの制限が生じる課題があった。また、日送り機構が複雑になる課題があった。
【００１１】
従来の第四タイプのカレンダ機構付き時計では、第二日車を円盤状に形成し、この第二日車の外周部が第一日車と重なるので、小秒針機構を配置するのが困難となり、デザインバリエーションの制限が生じる課題があった。
【００１２】
本発明の目的は、大きな日表示が可能であって、日付け表示位置の自由度があり、デザインバリエーションの展開が可能なカレンダ機構付き時計を提供することにある。
また、本発明の他の目的は、日送り機構の構造が簡潔で製造が容易なカレンダ機構付き時計を提供することにある。
【課題を解決するための手段】
【００１３】
本発明は、２つの日車を含むカレンダ機構付き時計において、日付のうちの一の位を表示する第一日車と、日付のうちの十の位を表示する第二日車とを備え、前記第一日車は、表輪列の回転によって前記第一日車を回転させるための第一日車歯車部と、前記第二日車を回転させかつ前記第二日車の位置を定めるための駆動カムとを備えることを特徴とする。第一日車は、表輪列の回転により回転される筒車、日回し車の回転を介して１日に１ピッチ回転される。第二日車は、第一日車の回転に基づいて作動する日送り機構によって、一定の時間間隔で回転される。この構成により、大きな日付表示が可能なカレンダ機構付き時計を実現することができる。このカレンダ機構付き時計においては、前記第一日車の回転中心と、前記第二日車の回転中心は同一の位置に配置され、前記第二日車の第二日文字表示面は、９０度以下の開角度で形成されるのが好ましい。本発明のカレンダ機構付き時計は、このように構成することにより、日付け表示位置の自由度があり、デザインバリエーションの展開が可能である。
【００１４】
本発明のカレンダ機構付き時計において、前記第一日車は、「１」、「１」、「２」、「３」、「４」、「５」、「６」、「７」、「８」、「９」、「０」、「１」、「２」、「３」、「４」、「５」、「６」、「７」、「８」、「９」、「０」、「１」、「２」、「３」、「４」、「５」、「６」、「７」、「８」、「９」、「０」の３１個の数字を含む第一日文字表示面を有し、前記第二日車は、「１」、「２」、「３」、「０」の数字を含む第二日文字表示面、又は、「１」、「２」、「３」の数字を含む第二日文字表示面を有するように構成するのがよい。この構成では、第一日文字表示面に設けられた日文字のうちの１つによって日付のうちの一の位を表示し、第二日文字表示面に設けられた日文字のうちの１つによって日付のうちの十の位を表示することができる。
【００１５】
本発明のカレンダ機構付き時計において、前記第一日車に設けられた駆動カムは、それぞれの半径が異なった４つの同心円を含む形状をもつように構成されたカム円弧部を含み、前記第二日車は、扇形の範囲内で移動することができるように構成されるのがよい。本発明のカレンダ機構付き時計において、前記第一日車に設けられた駆動カムに接触する部分、および、前記第二日車の歯車部に噛み合う歯車部分を有する駆動カムレバーと、前記第二日車の歯車部に噛み合う歯車部分を有する回転制御レバーと、前記第二日車の回転を規制するために前記回転制御レバーに弾性力を加える回転制御レバーばねとを備えるように構成することができる。回転制御レバーばねのばね力によって、駆動カムレバーの駆動カム接触部分は、確実に駆動カムに接触することができる。この構成により、簡潔な機構で、確実に第二日車の回転方向の位置を定めることができる。また、この構成を採用することによって、本発明のカレンダ機構付き時計は、日送り機構の構造が簡潔であって、部品の兼用性が高く製造および組立が容易である。
【００１６】
本発明のカレンダ機構付き時計において、前記第二日車は、切り欠きを設けた扇形の第二日文字表示面を備え、第二日文字表示面は、（２＊３６０／３１）度から（３＊３６０／３１）度のピッチ間隔で形成された４個の台形部分と、（２＊３６０／３１）度から（３＊３６０／３１）度のピッチ間隔で形成された３個の切り欠き部とを含み、第二日文字表示面には、「１」の数字と、「２」の数字と、「３」の数字と、「０」の数字からなる数字の組が設けられるのが好ましい。また、本発明のカレンダ機構付き時計において、前記第二日車は、扇形の第二日文字表示面を備え、前記第二日文字表示面には、「１」の数字と、「２」の数字と、「３」の数字と、「０」の数字からなる数字の組が設けられ、前記第二日文字表示面は、前記第一日文字表示面の内側に配置されるのが好ましい。この構成により、大きな２つの日文字によって日付表示を行うことができるので、日付表示が見やすく、かつ、デザインの制約が少ないカレンダ機構付き時計を実現することができる。
【００１７】
また、本発明のカレンダ機構付き時計は、小秒針によって「秒」に関する情報を表示する秒表示機構を更に備えることができる。この構成では、表輪列の回転に基づいて秒を表示するために回転する秒表示車の回転中心が、前記第二日文字表示面が移動する領域の外側であって、かつ、前記第一日文字表示面の内側に配置されるのがよい。この構成により、小秒針付きであって、大きな日付表示が可能なカレンダ機構付き時計を実現することができる。さらに、本発明のカレンダ機構付き時計は、小表示針によって時、暦に関する情報を表示する輪列機構を備え、表輪列の回転に基づいて前記情報を表示するために回転する表示車の回転中心が、第二日文字表示面が移動する領域の外側であって、かつ、第一日文字表示面の内側に配置されるように構成することができる。この構成により、小表示針により時、暦に関する情報を表示して、同時に、大きな日付表示をすることができるカレンダ機構付き時計を実現することができる。
【発明の効果】
【００１８】
本発明のカレンダ機構付き時計は、日付のうちの一の位を表示する第一日車と、日付のうちの十の位を表示する第二日車とを含み、大きな日付表示が可能である。また、本発明のカレンダ機構付き時計は、第一日車の回転中心と、第二日車の回転中心を同じ位置に配置することができるので、日付け表示位置の自由度があり、デザインバリエーションの展開が可能である。また、本発明のカレンダ機構付き時計は、日送り機構の構造が簡潔であって、部品の兼用性が高く製造および組立が容易である。
【発明を実施するための最良の形態】
【００１９】
以下に、本発明のカレンダ機構付き時計の実施の形態を図面に基づいて説明する。
（１）本発明の第１の実施の形態：
最初に、本発明のカレンダ機構付き時計の第１の実施の形態について説明する。
（１・１）ムーブメントの構成：
図１から図４を参照すると、本発明のカレンダ機構付き時計の第１の実施の形態において、ムーブメント１００はアナログ電子時計で構成される。以下の説明は、本発明のカレンダ機構付き時計をアナログ電子時計に適用した構成について説明しているけれども、本発明は、アナログ電子時計だけでなく、機械式時計にも適用することができる。すなわち、本明細書における「カレンダ機構付き時計」という概念は、「アナログ電子時計」も、「機械式時計」も、他のすべての作動原理のアナログ時計も含む概念である。
【００２０】
本発明のカレンダ機構付き時計のムーブメント１００は、ムーブメントの基板を構成する地板１０２を有する。文字板１０４（図３および図４参照）がムーブメント１００のガラス側に取付けられる。ムーブメント１００の「表側」には、電池１２０、回路ブロック１１６、ステップモータ、表輪列、切換装置（図示せず）などが配置される。切換装置は、ムーブメント１００において、「表側」に配置される。切換装置は、ムーブメント１００において、「裏側」に配置することもできる。ステップモータの回転により表輪列が回転する。ＩＣ１１８と水晶振動子１２２とが、回路ブロック１１６に取り付けられる。電池１２０はカレンダ機構付き時計の動力源を構成する。水晶振動子１２２は、カレンダ機構付き時計の源振を構成し、例えば、３２，７６８ヘルツで発振する。
【００２１】
表輪列は地板１０２と輪列受１１２により、回転可能に支持される。回路押え板１１４が、回路ブロック１１６を輪列受１１２に対して保持するように設けられる。電池マイナス端子１２６が、輪列受１１２に対して保持される。絶縁板（図示せず）が、電池マイナス端子１２６と押え板１１４との間に配置される。ＩＣ１１８は発振部と、分周部と、駆動部とを含む。水晶振動子１２２の振動に基づいて発振部は基準信号を出力する。分周部は発振部の出力信号を分周する。駆動部は分周部の出力信号に基づいて、ステップモータを駆動するモータ駆動信号を出力する。ステップモータは、コイルブロック１３０と、ステータ１３２と、ロータ１３４とを含む。コイルブロック１３０がモータ駆動信号を入力すると、ステータ１３２が磁化して、ロータ１３４を回転させる。ロータ１３４は、例えば、１秒ごとに１８０度回転するように構成される。
【００２２】
ロータ１３４の回転に基づいて、五番車１４０の回転を介して秒車１４２が回転するように構成される。秒車１４２は１分間に１回転するように構成される。秒針１４４が秒車１４２に取付けられる。秒車１４２の代わりに四番車を用いてもよい。秒車１４２を、時計の中心に配置してもよいし、時計の中心とは異なる位置に配置してもよい。規正レバー１７０が、巻真１１０を２段目に引き出したときに回転作動し、五番車１４０の位置を規正するために設けられる。
【００２３】
三番車１５０が秒車１４２の回転に基づいて回転するように構成される。分車１５２が三番車１５０の回転に基づいて回転するように構成される。分車１５２の代わりに二番車を用いてもよい。分針１５４が二番車１５２に取付けられている。スリップ機構が分車１５２に設けられている。スリップ機構により、針合わせをするときに、秒針１４４を停止させた状態で、巻真１１０を回転させることにより、分針１５４及び時針１６６を回転させることができる。分車１５２は１時間に１回転するように構成される。日の裏車１７４が分車１５２の回転に基づいて回転するように構成される。巻真１１０を２段目に引き出したときに、巻真１１０の回転により、つづみ車１７５が回転するように設けられる。巻真１１０を２段目に引き出したときに、巻真１１０の回転により、つづみ車１７５、小鉄車１７７の回転を介して日の裏車１７４が回転するように構成される。
【００２４】
中心パイプ１０３が地板１０２に設けられる。中心パイプ１０３は地板１０２の裏蓋側から地板１０２の文字板側に延びる。筒車１６０が、中心パイプ１０３の外周円筒面に対して回転可能に設けられる。筒車１６０は日の裏車１７４の回転に基づいて回転するように構成される。筒車１６０は１２時間に１回転するように構成される。時針１６６が筒車１６０に取付けられる。筒車１６０の日回しかな１６１が回転することにより、日回し車５１０が回転するように構成される。日回し車５１０は、筒車１６０の回転により１日に１回転するように設けられる。
【００２５】
分車１５２は、中心パイプ１０３の中心穴部の中に回転可能に支持される。秒車１４２のそろばん玉は、分車１５２の中心穴部の中に回転可能に支持される。輪列受１１２は、地板１０２の裏蓋側に配置される。ロータ１３４の上軸部、五番車１４０の上軸部、秒車１４２の上軸部、三番車１５０の上軸部、日の裏車１７４の上軸部は、輪列受１１２に回転可能に支持される。ロータ１３４の下軸部、五番車１４０の下軸部、三番車１５０の下軸部、日の裏車１７４の下軸部は、地板１０２に回転可能に支持される。
【００２６】
（１・２）切換機構、針合わせ機構の構成：
以下に、切換機構、針合わせ機構の構成について説明する。図２および図３を参照すると、ムーブメント１００において、巻真１１０が、地板１０２に回転可能に組み込まれる。巻真１１０は、先端側から順に形成された先端軸部１１０Ａと、第１角部１１０Ｂと、第１軸部１１０Ｃと、規正作動軸部１１０Ｄと、第２軸部１１０Ｅと、第２角部１１０Ｆと、第３軸部１１０Ｇと、第１そろばん玉部１１０Ｈと、第２そろばん玉部１１０Ｊと、元軸部１１０Ｋとを含む。巻真１１０の規正作動軸部１１０Ｄは、地板１０２の巻真穴に対して回転可能なように組み込まれる。巻真１１０の元軸部１１０Ｋは、地板１０２の巻真元穴に対して回転可能なように組み込まれる。第１そろばん玉部１１０Ｈの外径は、第２そろばん玉部１１０Ｊの外径より大きいように構成するのがよい。
【００２７】
つづみ１７５が巻真１１０の回転軸線と同一の回転軸線を有するように配置される。巻真１１０が０段目および１段目にあるとき、つづみ車１７５の連動角穴が巻真１１０の第１軸部１１０Ｃに対して回転可能であり、巻真１１０を回転させてもつづみ車１７５が回転しないように構成される。巻真１１０が２段目にあるとき、つづみ車１７５の連動角穴が巻真１１０の第１角部１１０Ｂと嵌め合い、巻真１１０の回転に基づいてつづみ車１７５が回転するように構成される。巻真１１０が０段目にあるとき、回路押え板１１４の巻真位置決め部１１４Ｆは、元軸部１１０Ｋと、第２そろばん玉部１１０Ｊとの間に位置するように構成される。巻真１１０が１段目にあるとき、回路押え板１１４の巻真位置決め部１１４Ｆは、第１そろばん玉部１１０Ｈと、第２そろばん玉部１１０Ｊとの間に位置するように構成される。巻真１１０が２段目にあるとき、回路押え板１１４の巻真位置決め部１１４Ｆは、第１そろばん玉部１１０Ｈと、第３軸部１１０Ｇとの間に位置するように構成される。したがって、上記構成の切換装置では、回路押え板１１４の巻真位置決め部１１４Ｆにより、巻真１１０を３つの軸線方向の位置（０段目、１段目、２段目）に位置決めすることができる。
【００２８】
巻真１１０が０段目にあるとき、および、巻真１１０が１段目にあるとき、規正レバー１７０は、巻真１１０の規正作動軸部１１０Ｄが規正レバー１７０と接触しないで、五番車１４０の規正部を規正しないように構成される。巻真１１０が２段目にあるとき、巻真１１０の規正作動軸部１１０Ｄが規正レバー１７０と接触して、五番車１４０の規正部を規正するように構成される。
【００２９】
図３および図５を参照すると、第一カレンダ修正車５９１が巻真１１０の回転軸線と同一の回転軸線を有するように配置される。巻真１１０が０段目にあるとき、第一カレンダ修正車５９１の連動丸穴が巻真１１０の第３軸部１１０Ｇに対して回転可能であり、巻真１１０を回転させても第一カレンダ修正車５９１が回転しないように構成される。巻真１１０が１段目にあるとき、第一カレンダ修正車５９１の連動丸穴が巻真１１０の第２角部１１０Ｆと嵌め合い、巻真１１０の回転に基づいて第一カレンダ修正車５９１が回転するように構成される。巻真１１０が２段目にあるとき、第一カレンダ修正車５９１の連動丸穴が巻真１１０の第２軸部１１０Ｅに対して回転可能であり、巻真１１０を回転させても第一カレンダ修正車５９１が回転しないように構成される。日の裏車１７４の日の裏歯車は、小鉄車１７７と噛み合うように配置される。小鉄車１７７は、地板１０２と輪列受１１２との間に配置される。日の裏車１７４の日の裏かなは、地板１０２の文字板側に位置し、筒車１６０の筒歯車と噛み合うように構成される。
【００３０】
（１・３）カレンダ機構の構成： 
以下に、カレンダ機構の構成について説明する。図１および図３から図５を参照すると、日送り機構は、日回し車５１０と、日ジャンパ５１４とを含む。日回し車５１０は、日回し歯車５１０Ｃと、日回し爪５１０Ｄとを含む。筒車１６０の日送り歯車１６１は、日回し歯車５１０Ｃと噛み合う。筒車１６０が回転することにより、日回し車５１０が２４時間で１回転するように構成される。日付のうちの一の位を表示する第一日車５１２が地板１０２に回転可能に組み込まれる。第一日車５１２は、第一日文字５１１を設けた第一日文字表示面５１３と、第一日車５１２を回転させるために設けられた第一日車歯部５１６と、第二日車５２２を回転させるための駆動カム５３２を備える。第一日車歯部５１６は、３１個の内歯を含むように構成される。第一日車歯部５１６は、表輪列の回転によって第一日車５１２を回転させるために設けられる。したがって、筒車１６０の回転によって日回し車５１０が回転することにより日回し爪５１０Ｄが回転して、第一日車５１２は、１日に１度、１ピッチ（１歯）分だけ回転するように構成される。第一日車５１２は、ポリアリレートなどのエンジニアリングプラスチックで形成することもできるし、黄銅などの金属を切削加工して形成することもできる。
【００３１】
駆動カム５３２は、それぞれの半径が異なった４つの同心円を含む形状をもつように構成された第１カム円弧部５３２Ａ、第２カム円弧部５３２Ｂ、第３カム円弧部５３２Ｃ、第４カム円弧部５３２Ｄを含む。第１カム円弧部５３２Ａは半径が最小である。第２カム円弧部５３２Ｂの半径は、第１カム円弧部５３２Ａの半径より大きく、第３カム円弧部５３２Ｃの半径より小さい。第３カム円弧部５３２Ｃの半径は、第２カム円弧部５３２Ｂの半径より大きく、第４カム円弧部５３２Ｄの半径より小さい。第４カム円弧部５３２Ｄは、半径が最大である。第１カム円弧部５３２Ａの開角度は、例えば、９５度に構成することができる。第２カム円弧部５３２Ｂの開角度は、例えば、１１０度に構成することができる。第３カム円弧部５３２Ｃの開角度は、例えば、１１０度に構成することができる。第４カム円弧部５３２Ｄの開角度は、例えば、２４度に構成することができる。それぞれのカム円弧部の間には、緩和曲線部が設けられる。緩和曲線部は、１以上の曲線部を含むように構成することができる。或いは、緩和曲線部は、１以上の曲線部と、１以上の直線部とを含むように構成してもよい。この構成により、駆動カムレバー５４２（後述する）は、駆動カム５３２に対して確実かつ円滑に接触して作動することができる。
【００３２】
第一日車押え５０２が、第一日車５１２の第一日車歯部５１６を地板１０２に対して回転可能に保持するために設けられる。第一日車押え５０２は、りん青銅などの弾性金属で形成することができる。日回し車５１０は、地板１０２と第一日車押え５０２との間に配置される。第一日車押え５０２の中心穴の付近の部分は、筒車１６０の日送り歯車１６１の内側部分を地板１０２に対して回転可能に保持するようになっている。日ジャンパ５１４は地板１０２に対して回転可能に組み込まれる。日ジャンパ５１４の回転中心の穴部は、地板１０２と第一日車５１２との間に配置される。日ジャンパ５１４は、第一日車歯部５１６を規正するための規正部５１４Ｃ、５１４Ｄを含む。日ジャンパばね５１５が日車押え５０２に形成される。日ジャンパばね５１５により日ジャンパ５１４を第一日車歯部５１６に接触させることによって、日ジャンパ５１４の規正部５１４Ｃ、５１４Ｄは２つの第一日車歯部５１６を同時に規正するように構成される。
【００３３】
ムーブメント１００は、さらに、日付のうちの十の位を表示する第二日車５２２と、第二日車５２２を保持するための第二日車押さえ５２５とを備える。第二日車押さえ５２５は、りん青銅などの弾性金属で形成することができる。第二日車５２２は、第二日文字５２１を設けた第二日文字表示面５２３と、第二日車５２２を回転させるために設けられた第二日車歯部５２６とを備える。第二日車５２２は、第二日板５２７および第二日板歯車５２８で構成される。第二日文字表示面５２３を第二日板５２７に設け、第二日車歯部５２６を第二日板歯車５２８に設けることができる。第二日車歯部５２６は、９０度から１７０度の間の開角度で形成することができる。第二日板歯車５２８は、ポリアセタールなどのエンジニアリングプラスチックで形成することができる。第二日板５２７は、アルミニウムなどの金属、または、ポリエステルフィルムなどのプラスチックで形成される。第二日車押さえ５２５は、第二日車５２２を筒車１６０に対して回転可能に保持するために設けることができる。第二日車押さえ５２５は、Ｃリング形状の構成して筒車１６０に固定することができる。
【００３４】
第一日車５１２の回転中心と、第二日車５２２の回転中心は同一の位置にあるように配置されるのが好ましい。第一日車５１２の回転中心と、第二日車５２２の回転中心は、筒車１６０の回転中心と同じ位置に配置されるのが好ましい。ムーブメント１００は、さらに、駆動カムレバー５４２と、回転制御レバー５４４と、回転制御レバーばね５４６とを備える。駆動カムレバー５４２および回転制御レバー５４４は、ポリアセタールなどのエンジニアリングプラスチックで形成することができる。回転制御レバーばね５４６は、りん青銅などの弾性金属で形成することができる。駆動カムレバー５４２の回転中心と、回転制御レバー５４４の回転中心は、同一の位置にあるように配置されるのが好ましい。この構成は、第二日車の回転方向の位置を定める第二日車ジャンパを必要としないので、簡潔な機構で、確実に第二日車の回転方向の位置を定めることができる。すなわち、この構成は、第二日車ジャンパが筒車１６０に不要な力を加えるおそれがないので、日送り機構の構造が簡潔で、作動が安定している。さらに、この構成により、製造が容易なカレンダ機構付き時計を実現することができる。
【００３５】
駆動カムレバー５４２は、駆動カム５３２の第１カム円弧部５３２Ａから第４カム円弧部５３２Ｄに接触するカム接触部分５４２Ａと、第二日車５２２の歯車部５２６に噛み合う歯車部分５４２Ｂとを有する。駆動カムレバー５４２の歯車部分５４２Ｂは、３０度から６０度の間の開角度で形成することができる。回転制御レバー５４４は、第二日車５２２の歯車部５２６に噛み合う歯車部分５４４Ｂと、回転制御レバーばね５４６と接触するばね接触部分５４４Ｃとを有する。回転制御レバーばね５４６は、第二日車５２２の回転を規制するために回転制御レバー５４４に弾性力を加えるように構成される。図５において、回転制御レバーばね５４６は、回転制御レバー５４４を反時計まわり方向に回転させる力を回転制御レバー５４４に加えるように構成される。回転制御レバー５４４に反時計まわり方向に回転させる力が加えられると、第二日車５２２を時計まわり方向に回転させる力が生じ、駆動カムレバー５４２を反時計まわり方向に回転させる力が加えられるので、駆動カムレバー５４２のカム接触部分は、常に駆動カム５３２に対して接触するようになっている。この構成により、駆動カムレバー５４２が駆動カム５３２に接触して第二日車５２２の回転方向の位置を定めるので、第二日車５２２の回転は、第一日車５１２の回転中心を回転中心とする扇形の範囲内で行われる。
【００３６】
図１および図５を参照すると、文字板１０４の「１２時方向」に日窓１０５が形成される構成の場合、第一日車５１２はリング形状の第一日文字表示面５１３を含む。３１個の数字からなる第一日文字５１１が第一日文字表示面５１３に設けられる。第一日文字５１３は、４組の数字を含む。すなわち、第一日文字５１１は、第１組の第一日文字を構成する「１」から「９」および「０」の数字と、第２組の第一日文字を構成する「１」から「９」および「０」の数字と、第３組の第一日文字を構成する「１」から「９」および「０」の数字と、第４組の第一日文字を構成する「１」の数字とを含む。すなわち、第一日文字５１１は、「１」、「１」、「２」、「３」、「４」、「５」、「６」、「７」、「８」、「９」、「０」、「１」、「２」、「３」、「４」、「５」、「６」、「７」、「８」、「９」、「０」、「１」、「２」、「３」、「４」、「５」、「６」、「７」、「８」、「９」、「０」の３１個の数字を含む。第一日文字５１１を構成する３１個の数字は、等しい角度間隔、すなわち（３６０／３１）度の間隔で第一日文字表示面５１１に配置される。それぞれの第一日文字５１１は、文字板１０４の日窓１０５の中に配置されたときに、文字の上側がムーブメント１００の「１２時方向」に向くように配置される。図１に示す状態では、第一日文字５１１のうちの隣接して配置された「１」と「１」とのうちの「２」に近い方の「１」が文字板１０４の日窓１０５に配置される。
【００３７】
第二日車５２２は、３個の切り欠き部を設けかつ扇形に形成された第二日文字表示面５２３を備える。第二日文字表示面５２３は、８０度から１６０度の開角度で形成するのが好ましい。この構成により、小秒針により秒を表示する機構などの付加的な表示機構を、ムーブメントンの中に効果的に配置することができる。第二日文字表示面５２３は、互いに互いに一定のピッチ間隔をもって形成された４個の台形部分５２３Ｊと、互いに一定のピッチ間隔をもって形成された３個の切り欠き部５２２Ｋとを含む。台形部分５２３Ｊのピッチ間隔は、（２＊３６０／３１）度から（３＊３６０／３１）度の範囲であるのが好ましい。切り欠き部５２２Ｋのピッチ間隔は、（２＊３６０／３１）度から（３＊３６０／３１）度の範囲であるのが好ましい。それぞれの切り欠き部５２２Ｋは、２個の台形部分５２３Ｊの間に配置される。第二日文字表示面５２３は、第一日文字表示面５１３よりも文字板１０４に近い位置に配置される。
【００３８】
４個の数字、すなわち、「０」、「１」、「２」、「３」からなる第二日文字５２１が第二日文字表示面５２３に設けられる。それぞれの数字は、互いに等しい角度間隔をもって第二日文字表示面５２１に配置される。すなわち、「０」の数字と「１」の数字は、（２＊３６０／３１）度から（２.５＊３６０／３１）度の範囲の間隔で配置されるのが、より一層好ましい。「１」の数字と「２」の数字は、（２＊３６０／３１）度から（２.５＊３６０／３１）度の範囲の間隔で配置されるのが、より一層好ましい。「２」の数字と「３」の数字は、（２＊３６０／３１）度から（２.５＊３６０／３１）度の範囲の間隔で配置されるのが、より一層好ましい。それぞれの第二日文字５２１は、文字板１０４の日窓１０５の中に配置されたときに、文字の上側がムーブメント１００の「１２時方向」に向くように配置される。変形例として、「０」の数字を設ける代わりに、その位置を「白紙」の部分（すなわち、何の数字も設けられていない無地の部分）とする構成も可能である。変形例として、上記と同様な角度間隔で配置された２組の数字、すなわち「０」、「１」、「２」、「３」、「０」、「１」、「２」、「３」からなる第二日文字５２１を第二日文字表示面５２３に設けることもできる。さらに、変形例として、同様な角度間隔で配置された３組の数字、すなわち「０」、「１」、「２」、「３」、「０」、「１」、「２」、「３」、「０」、「１」、「２」、「３」からなる第二日文字５２１を第二日文字表示面５２３に設けることもできる。図１に示す状態では、第二日文字５２１の「０」が文字板１０４の日窓１０５の左側の部分に配置され、第二日車５２２の切り欠き部の下に第一日文字５１１の「１」が文字板１０４の日窓１０５に配置されて、日窓１０５の中で「０１日」を表示している。
【００３９】
図１１を参照すると、本発明のカレンダ機構付き時計のコンプリート５８０では、文字板１０４の「１２時方向」に日窓１０５が形成されている。文字板１０４の日窓１０５の中の左側の部分には、第二日車５２２の第二日文字５２１のうちの「０」が配置され、日窓１０５の中の右側の部分には、第二日車５２２の切り欠き部５２２Ｋと、第一日文字５１１のうちの「１」が配置される。したがって、コンプリート５８０は「１日」を表示している。秒針１４４、分針１５４、時針１６６により時刻情報を表示する。時刻修正、カレンダ表示修正などを行うときにおいて、巻真１１０の押し引き操作と、巻真３１０の回転操作は、巻真１１０と一体に回転する「りゅうず５８２」を操作することによって行うことができる。
【００４０】
図１は、本発明のカレンダ機構付き時計において、第一日車５１２を回転させる前の状態（すなわち、日送り前の状態）における、文字板側から見たムーブメント１００の裏側の構造を示す部分平面図である。図１および図５を参照すると、日ジャンパ５１４の規正部５１４Ｃ、５１４Ｄが、第一日車５１２の第一日車歯部５１６を規正している。駆動カムレバー５４２のカム接触部分５４２Ａの先端部は、駆動カム５３２の第１カム円弧部５３２Ａに接触している。第一日車５１２により日窓１０５から表示されている日文字は「１」である。第二日車５２２により日窓１０５から表示されている日文字は「０」である。すなわち、第一日車５１２および第二日車５２２により、日窓１０５から現在の日付、「０１日」を表示している。図５に示す状態において、筒車１６０の回転により日回し車５１０を矢印で示す方向（反時計回り方向）に回転させ、第一日車５１２を１ピッチだけ回転させ回転させ、「０２日」を表示することができる。
【００４１】
図６は、本発明のカレンダ機構付き時計において、第一日車５１２を回転させる前の状態（すなわち、日送り前の状態）における、文字板側から見たムーブメント１００の裏側の構造を示す部分平面図である。図６を参照すると、駆動カムレバー５４２のカム接触部分５４２Ａの先端部は、駆動カム５３２の第３カム円弧部５３２Ｃに接触している。第一日車５１２により日窓１０５から表示されている日文字は「９」である。第二日車５２２により日窓１０５から表示されている日文字は「２」である。すなわち、第一日車５１２および第二日車５２２により、日窓１０５から現在の日付、「２９日」を表示している。図６に示す状態において、筒車１６０の回転により日回し車５１０を矢印で示す方向（反時計回り方向）に回転させ、第一日車５１２を１ピッチだけ回転させ、図７に示すように、「３０日」を表示することができる。
【００４２】
図７を参照すると、駆動カムレバー５４２のカム接触部分５４２Ａの先端部は、駆動カム５３２の第４カム円弧部５３２Ｄに接触している。図７に示す状態において、筒車１６０の回転により日回し車５１０を矢印で示す方向（反時計回り方向）に回転させ、第一日車５１２を１ピッチだけ回転させ、図８に示すように、「３１日」を表示することができる。図８を参照すると、駆動カムレバー５４２のカム接触部分５４２Ａの先端部は、駆動カム５３２の第４カム円弧部５３２Ｄに接触している。図８に示す状態において、筒車１６０の回転により日回し車５１０を矢印で示す方向（反時計回り方向）に回転させ、第一日車５１２を１ピッチだけ回転させ、図９に示すように、「０１日」を表示することができる。図９を参照すると、駆動カムレバー５４２のカム接触部分５４２Ａの先端部は、駆動カム５３２の第１カム円弧部５３２Ａに接触している。
【００４３】
（１・４）カレンダ修正機構の構成：
図３および図５を参照すると、カレンダ修正機構は、第一日修正中間車５９１と、第二日修正中間車５９２と、第三日修正中間車５９３と、第四日修正中間車５９４と、日修正車５９５と、日修正車ばね５９６とを含む。日修正車ばね５９６は、第一日車押え５０２と一体に形成することができる。日修正車ばね５９６は、日修正車５９５を地板１０２に向かって加圧するように構成される。第四日修正中間車５９４は、日修正車５９５と一体に形成される。日修正車５９５は、地板１０２に設けられた案内穴にそって揺動できるように構成される。巻真１１０が１段目にある状態において、第一日修正中間車５９１の連動穴が巻真１１０の第２角部１１０Ｆと嵌め合い、巻真１１０の回転に基づいて第一日修正中間車５９１が回転するように構成される。
【００４４】
この状態で、巻真１１０を第１の方向に回転させると、第一日修正中間車５９１の回転に基づいて、第二カレンダ修正車５９２が回転するように構成される。第二カレンダ修正車５９２の回転に基づいて、第三日修正中間車５９３が回転するように構成される。第三日修正中間車５９３の回転に基づいて、第四日修正中間車５９４および日修正車５９５が回転するように構成される。第三日修正中間車５９３の回転に基づいて、日修正車５９５が、第一日車５１２の第一日車歯部５１６と噛合う位置まで揺動して停止し、その修正位置で日修正車５９５は回転するように構成される。日修正車５９５が前記修正位置で回転すると、第一日車５１２を反時計回り方向に回転させることができるように構成される。
【００４５】
（１・５）通常運針の作動：
次に、本発明のカレンダ機構付き時計の通常運針の作動について説明する。図２から図４を参照すると、電池１２０が時計の動力源を構成する。水晶ユニット１２２に収容された水晶振動子が、例えば、３２，７６８ヘルツで発振する。この水晶振動子の振動に基づいて、集積回路１１８に内蔵されている発振部が基準信号を出力し、分周制御部が発振部の出力信号を分周する。モータ駆動部が分周制御部の出力信号に基づいて、ステップモータを駆動するモータ駆動信号をコイルブロック１３０に出力する。コイルブロック１３０がモータ駆動信号を入力すると、ステータ１３２が磁化して、ロータ１３４を回転させる。ロータ１３４は、例えば、１秒ごとに１８０度回転する。ロータ１３４の回転に基づいて、五番車１４０の回転を介して秒車１４２が回転する。秒車１４２は１分間に１回転する。秒車１４２に取付けられた秒針１４４により、時刻情報のうちの「秒」を表示する。
【００４６】
三番車１５０が秒車１４２の回転に基づいて回転する。分車１５２が三番車１５０の回転に基づいて回転する。分車１５２は１時間に１回転する。分車１５２に取付けられた分針１５４により、時刻情報のうちの「分」を表示する。分車１５２に設けられたスリップ機構により、針合わせをするときに、規正レバー１７０により五番車１４０の規正部を規正して秒針１４４を停止させた状態で、巻真１１０を回転させることにより、分針１５４及び時針１６６を回転させることができる。日の裏車１７４が分車１５２の回転に基づいて回転する。筒車１６０が日の裏車１７４の回転に基づいて回転する。筒車１６０は１２時間に１回転する。筒車１６０に取付けられた時針１６６により、時刻情報のうちの「時」を表示する。
【００４７】
（１・６）日送りの作動：
次に、本発明のカレンダ機構付き時計の日送りの作用について説明する。図１、図３、図４、図５および図１０を参照すると、駆動カムレバー５４２のカム接触部分５４２Ａの先端部は、駆動カム５３２において、半径が一番小さい第１のカム円弧部に接触している。第一日車５１２により日窓１０５から表示される日文字は「１」である。第二日車５２２により日窓１０５から表示される日文字は「０」である。図５に示す状態において、筒車１６０の回転により日回し車５１０を矢印で示す方向（反時計回り方向）に回転させ、第一日車５１２を１ピッチだけ回転させ回転させ、「０２日」を表示することができる。さらに、筒車１６０の回転により日回し車５１０を矢印で示す方向（反時計回り方向）に回転させると、第一日車５１２を１ピッチだけ回転させ回転させ、「０３日」を表示することができる。同様にして、第二日車５２２を回転させることなく、第一日車５１２を回転させることによって、「０４日」から「０９日」を表示することができる。第二日車５２２により日窓１０５から表示される日文字が「０」であるときは、常に、駆動カムレバー５４２のカム接触部分５４２Ａの先端部は、駆動カム５３２の第１のカム円弧部に接触している。
【００４８】
図６を参照すると、駆動カムレバー５４２のカム接触部分５４２Ａの先端部は、駆動カム５３２において、半径が大きい方から二番目の第３のカム円弧部に接触している。第一日車５１２および第二日車５２２により、日窓１０５から現在の日付、「２９日」を表示している。図６に示す状態において、筒車１６０の回転により日回し車５１０を矢印で示す方向（反時計回り方向）に回転させ、第一日車５１２を１ピッチだけ回転させ、第一日車５１２により日窓１０５から表示される日文字を「０」に変える。このように第一日車５１２が回転するとき、駆動カムレバー５４２のカム接触部分５４２Ａの先端部は、駆動カム５３２において、第３のカム円弧部から緩和曲線を介して第４のカム円弧部に接触するようになる。カム接触部分５４２Ａの先端部が駆動カム５３２に接触する作動は、回転制御レバー５４４と、回転制御レバーばね５４６の弾性力によって確保される。駆動カムレバー５４２のカム接触部分５４２Ａの先端部が駆動カム５３２の第４のカム円弧部に接触すると、第二日車５２２により日窓１０５から表示される日文字は「２」から「３」に変わる。したがって、図７に示すように、第一日車５１２および第二日車５２２により、日窓１０５から現在の日付、「３０日」を表示することができる。
【００４９】
図７を参照すると、図７に示す状態において、筒車１６０の回転により日回し車５１０を矢印で示す方向（反時計回り方向）に回転させ、第一日車５１２を１ピッチだけ回転させ、第一日車５１２により日窓１０５から表示される日文字を「１」に変える。このように第一日車５１２が回転するとき、駆動カムレバー５４２のカム接触部分５４２Ａの先端部は、駆動カム５３２において、第４のカム円弧部に接触したままである。このとき、第二日車５２２により日窓１０５から表示される日文字は「３」のままである。したがって、図８に示すように、第一日車５１２および第二日車５２２により、日窓１０５から現在の日付、「３１日」を表示することができる。
【００５０】
図８を参照すると、図８に示す状態において、筒車１６０の回転により日回し車５１０を矢印で示す方向（反時計回り方向）に回転させ、第一日車５１２を１ピッチだけ回転させ、第一日車５１２により日窓１０５から表示される日文字を「１」から、前記「１」の次に配置された別の「１」に変える。このように第一日車５１２が回転するとき、駆動カムレバー５４２のカム接触部分５４２Ａの先端部は、駆動カム５３２において、第４のカム円弧部から緩和曲線を介して第１のカム円弧部に接触するようになる。カム接触部分５４２Ａの先端部が駆動カム５３２に接触する作動は、回転制御レバー５４４と、回転制御レバーばね５４６の弾性力によって確保される。駆動カムレバー５４２のカム接触部分５４２Ａの先端部が駆動カム５３２の第１のカム円弧部に接触すると、第二日車５２２により日窓１０５から表示される日文字は「３」から「０」に変わる。したがって、図９に示すように、第一日車５１２および第二日車５２２により、日窓１０５から現在の日付、「０１日」を表示することができる。上記の作動において、駆動カムレバー５４２の回転角度範囲は３７．５度（３＊１２．５度）である。上記の作動において、第二日車５２２の回転角度範囲は７５度（３＊２５度）である。
【００５１】
（１・７）針合わせの作動：
次に、本発明のカレンダ機構付き時計において、針合わせを行う場合の作動について説明する。図２から図５を参照すると、巻真１１０を２段目に引き出した状態で、巻真１１０を回転させると、つづみ車１７５の回転に基づいて、小鉄車１７７の回転を介して、日の裏車１７４が回転する。従って、巻真１１０が２段目にあるときに、巻真１１０を回転させることにより、「針合わせ」をすることができる。すなわち、巻真１１０が２段目にあるときに、巻真１１０を回転させることにより、つづみ車１７５、小鉄車１７７、日の裏車１７４の回転を介して筒車１６０を回転させ、筒車１６０に取付けられた時針１６６が表示する「時」の表示内容を修正し、同時に、分車１５２を回転させることにより、分車１５２に取付けられた分針１５４が表示する「分」の表示内容を修正することができる。巻真１１０が２段目にあるときに、規正レバー１７０が五番車１４０を規正する作用により、「時」及び「分」の表示内容を修正している間、五番車１４０および秒車１４２は回転することがなく、「秒」の表示内容は変化しない。
【００５２】
（１・８）日修正の作動：
次に、本発明のカレンダ機構付き時計において、日修正を行う場合の作動について説明する。図３および図５を参照すると、巻真１１０が１段目にある状態において、第一日修正中間車５９１の連動穴が巻真１１０の第２角部１１０Ｆと嵌め合い、巻真１１０の回転に基づいて第一日修正中間車５９１が回転する。この状態で、巻真１１０を第１の方向に回転させると、第一日修正中間車５９１の回転に基づいて、第二カレンダ修正車５９２、第三日修正中間車５９３の回転を介して、第四日修正中間車５９４および日修正車５９５が回転する。第三日修正中間車５９３の回転に基づいて、日修正車５９５が、第一日車５１２の第一日車歯部５１６と噛合う位置まで揺動して停止し、その修正位置で日修正車５９５は回転する。日修正車５９５が前記修正位置で回転すると、第一日車５１２を反時計回り方向に回転させることができる。巻真１１０を１段目に引き出した状態で、巻真１１０を第１の方向に回転させると、日修正車５９５が回転し、第一日車５１２により日窓１０５から表示される日文字を変えることができる。例えば、図６に示すように、第一日車５１２が「９」を表示し、第二日車５２２が「２」を表示している状態で、巻真１１０を１段目に引き出した状態で、巻真１１０を第１の方向に回転させると、日修正車５９５が回転し、第一日車５１２により表示される日文字を「０」に変え、第二日車５２２により表示される日文字を「３」に変えることができる。巻真１１０が１段目にあるときに、巻真１１０を、第１の方向と反対の方向に回転させても、日修正車５９５が前記修正位置に揺動しないので、「日修正」を行うことはできない。
【００５３】
（２）第２の実施の形態
次に、本発明の第２の実施の形態を説明する。以下の説明は、本発明の第２の実施形態が本発明の第１の実施形態と異なる点を主に述べる。したがって、以下に記載がない個所は、前述した本発明の第１の実施形態についての説明をここに準用する。本発明の第２の実施の形態は、カレンダ機構付き時計の日窓を文字板の３時位置に配置したアナログ電子時計で構成した実施形態である。
【００５４】
図１２および図１３を参照すると、文字板６０４の「３時方向」に日窓６０５が形成される構成の場合、カレンダ機構付き時計のムーブメント６００は、第一日車６１２と、第二日車６２２、第一日車押さえ６１８とを備える。第一日車６１２はリング形状の第一日文字表示面６１３を含む。３１個の数字からなる第一日文字６１１が第一日文字表示面６１３に設けられる。第一日文字６１１は、「１」、「１」、「２」、「３」、「４」、「５」、「６」、「７」、「８」、「９」、「０」、「１」、「２」、「３」、「４」、「５」、「６」、「７」、「８」、「９」、「０」、「１」、「２」、「３」、「４」、「５」、「６」、「７」、「８」、「９」、「０」の３１個の数字を含む。それぞれの第一日文字６１１は、文字板６０４の日窓６０５の中に配置されたときに、文字の右側がムーブメント６００の「３時方向」に向くように配置される。図１２に示す状態では、第一日文字６１１のうちの隣接して配置された「１」と「１」とのうちの「２」に近い方の「１」が文字板６０４の日窓６０５に配置される。
【００５５】
第二日車６２２は、扇形に形成された第二日文字表示面６２３を備える。第二日車６２２に、切り欠き部を形成する必要がない。第二日文字表示面６２３は、４５度から９０度の開角度で形成するのが好ましい。第二日車６２２の第二日車歯部は、５５度から１００度の間の開角度で形成することができる。駆動カムレバー５４２の歯車部分５４２Ｂは、１５度から３０度の間の開角度で形成するのが好ましい。第二日文字表示面６２１は、第一日文字表示面６１１よりも文字板６０４に近い位置に配置される。４個の数字、すなわち、「０」、「１」、「２」、「３」からなる第二日文字６２１が第二日文字表示面６２３に設けられる。それぞれの第二日文字６２１は、文字板６０４の日窓６０５の中に配置されたときに、文字の右側がムーブメント６００の「３時方向」に向くように配置される。第二日文字表示面６２３は、第一日文字表示面６１３の内側に配置される。図１２に示す状態では、第二日文字６２１の「０」が文字板６０４の日窓６０５の左側の部分に配置され、第二日車６２２の右側に第一日文字６１１の「１」が文字板６０４の日窓６０５に配置されて、日窓６０５の中で「０１日」を表示している。
【００５６】
図１４を参照すると、コンプリート６５０では、文字板６０４の「３時方向」に日窓６０５が形成されている。コンプリート６５０において、文字板６０４の日窓６０５の中の左側の部分には、第二日車６２２の第二日文字６２１のうちの「０」が配置され、日窓６０５の中の右側の部分には、第一日車６１２の第一日文字６１１のうちの「１」が配置される。したがって、コンプリート６５０は「１日」を表示している。秒車１４２、分針１５４、時針１５６により時刻情報を表示する。巻真１１０の押し引き操作と、回転操作は、「りゅうず６５４」を操作することによって行うことができる。
【００５７】
（３）第３の実施の形態
次に、本発明の第３の実施の形態を説明する。以下の説明は、本発明の第３の実施形態が本発明の第１の実施形態と異なる点を主に述べる。したがって、以下に記載がない個所は、前述した本発明の第１の実施形態についての説明をここに準用する。本発明の第２の実施の形態は、カレンダ機構付き時計の日窓を文字板の「６時方向」に配置したアナログ電子時計で構成した実施形態である。
【００５８】
図１５を参照すると、文字板７０４の「６時方向」に日窓７０５が形成される構成の場合、カレンダ機構付き時計のムーブメント７００は、第一日車７１２と、第二日車７２２、第一日車押さえ７１８とを備える。第一日車７１２はリング形状の第一日文字表示面７１３を含む。３１個の数字からなる第一日文字７１１が第一日文字表示面７１３に設けられる。第一日文字７１１は、「１」、「１」、「２」、「３」、「４」、「５」、「６」、「７」、「８」、「９」、「０」、「１」、「２」、「３」、「４」、「５」、「６」、「７」、「８」、「９」、「０」、「１」、「２」、「３」、「４」、「５」、「６」、「７」、「８」、「９」、「０」の３１個の数字を含む。それぞれの第一日文字７１１は、文字板７０４の日窓７０５の中に配置されたときに、文字の下側がムーブメント７００の「６時方向」に向くように配置される。図１５に示す状態では、第一日文字７１１のうちの隣接して配置された「１」と「１」とのうちの「２」に近い方の「１」が文字板７０４の日窓７０５に配置される。
【００５９】
第二日車７２２は、３個の切り欠き部を設けかつ扇形に形成された第二日文字表示面７２３を備える。第二日文字表示面７２３は、第一日文字表示面７１３よりも文字板７０４に近い位置に配置される。４個の数字、すなわち、「０」、「１」、「２」、「３」からなる第二日文字７２１が第二日文字表示面７２３に設けられる。それぞれの第二日文字７２１は、文字板７０４の日窓７０５の中に配置されたときに、文字の下側がムーブメント７００の「６時方向」に向くように配置される。図１５に示す状態では、第二日文字７２１の「０」が文字板７０４の日窓２０５の左側の部分に配置され、第二日車７２２の右側に第一日文字７１１の「１」が文字板７０４の日窓７０５に配置されて、日窓７０５の中で「０１日」を表示している。
【００６０】
以上説明したように、本発明の第１の実施形態、本発明の第２の実施形態、本発明の第３の実施形態のムーブメントは、第一日車、第二日車を除いた部品を兼用に設計・製造することができる。したがって、デザインバリエーションの展開が可能なカレンダ機構付き時計を提供することができる。すなわち、本発明のカレンダ機構付き時計のムーブメントは、日送り機構の構造が簡潔であって、部品の兼用性が高く製造および組立が容易である。
【００６１】
図１６を参照すると、コンプリート７５０では、文字板７０４の「６時方向」に日窓７０５が形成されている。コンプリート７５０において、文字板７０４の日窓７０５の中の左側の部分には、第二日車７２２の第二日文字７２１のうちの「０」が配置され、日窓７０５の中の右側の部分には、第一日文字７１１のうちの「１」が配置される。したがって、コンプリート７５０は「１日」を表示している。秒針１４４、分針１５４、時針１５６により時刻情報を表示する。巻真１１０の押し引き操作と、回転操作は、「りゅうず７５４」を操作することによって行うことができる。
【００６２】
（４）第４の実施の形態
次に、本発明の第４の実施の形態を説明する。以下の説明は、本発明の第４の実施形態が本発明の第１の実施形態と異なる点を主に述べる。したがって、以下に記載がない個所は、前述した本発明の第１の実施形態についての説明をここに準用する。本発明の第４の実施の形態は、小秒針付きのカレンダ機構付きアナログ電子時計である。
【００６３】
図１７を参照すると、カレンダ機構付き時計のムーブメント８００は、地板８０２を備える。五番車１４０の回転に基づいて、秒表示機構が作動するように構成される。五番車１４０は、五番歯車と、五番かなと、五番下かなとを含む。秒表示機構は、秒表示車８２０を含む。秒表示車８２０の歯車部（図示せず）は、五番下かなと噛み合うように構成される。ロータ１３４の回転により、五番車１４０の回転を介して、秒表示車８２０が回転するように構成される。秒表示車８２０の下軸部は、地板８０２に対して回転可能に支持される。秒表示車８２０の上軸部は、秒車受８４０に対して回転可能に支持される。秒表示車８２０の上軸部および回転中心は、第二日車５２２の第二日文字表示面５２３が移動する領域の外側であって、かつ、第一日車５１２の第一日文字表示面５１３の内側に配置される。この構成では、第二日文字表示面５２３は、９０度以下の開角度で形成するのが好ましい。
【００６４】
秒表示車８２０の回転中心は、「６時方向」に配置されるのが好ましい。秒表示車８２０は１分間で１回転するように構成される。小秒針８３０が秒表示車８２０の上軸部の先端部に取り付けられる。「秒」を表示するための文字、数字、略字などが文字板１０４に設けられる。小秒針８３０と数字などによって、時刻情報である「秒」に関する情報を表示することができるように構成される。この構成においては、前述した秒車１４２に秒針１４４を取り付ける必要がない。本発明の第４の実施の形態について、小秒針付きのカレンダ機構付きアナログ電子時計の構成を説明したけれども、本発明は、地板、受け部材、裏輪列の一部などの構成を変えることによって、小表示針によって「曜日表示」、「２４時制による時表示」、「クロノグラフ表示」などの時、暦に関する情報を指示するように構成することができる。ことができる。例えば、筒車の回転によって２４時間について１回転する２４時車を設け、この２４時車に２４時針を取り付けることによって「２４時制による時表示」を行うことができる。例えば、公知のクロノグラフ輪列を設け、このクロノグラフ輪列にクロノグラフ表示針を取り付けることによって「クロノグラフ表示」を行うことができる。このような構成では、小表示針によって時、暦に関する情報を表示する輪列機構を備え、表輪列の回転に基づいて前記情報を表示するために回転する表示車の回転中心が、第二日文字表示面が移動する領域の外側であって、かつ、第一日文字表示面の内側に配置されるのがよい。
【００６５】
（５）本発明を機械式時計で構成する場合
本発明を機械式時計で構成する場合において、切換機構、カレンダ送り機構、カレンダ修正機構の構造および作用は、上述した本発明の実施形態の構造および作用と同様である。構造の詳細は図示しないけれども、機械式時計では、香箱車の香箱歯車の回転により、二番車、三番車の回転を介して、四番車が１分間に１回転する。四番車の回転速度は、がんぎ車により制御される。がんぎ車の回転速度は、アンクルにより制御される。アンクルの揺動運動は、てんぷにより制御される。三番車の回転により、分車が１時間に１回転する。分車の回転により、日の裏車の回転を介して筒車は１２時間に１回転するように構成される。筒車が回転することにより日回し車５１０が回転して、日回しつめ５１０Ｄは、１日に１回だけ、第一日車５１２を１歯分だけ回転させる。このような日送りの作動によって、第二日車５２２の第二日文字５２３と、第一日車５１２の第一日文字５１３とによって、文字板の日窓から日付けを表示することができる。
【産業上の利用可能性】
【００６６】
本発明により、大きな日表示が可能であって、日付け表示位置の自由度があり、デザインバリエーションの展開が可能なカレンダ機構付き時計を提供することができる。本発明のカレンダ機構付き時計は、日送り機構の構造が簡潔であって、製造が容易である。
【図面の簡単な説明】
【００６７】
【図１】本発明の第１の実施形態において、ムーブメントを文字板側から見たときの第一日車および第二日車などの構造を示す概略平面図である。
【図２】本発明の第１の実施形態において、ムーブメントを裏蓋側から見たときの構造を示す概略平面図である。
【図３】本発明の第１の実施形態において、指針部と、切換装置と、カレンダ機構の一部分を示す部分断面図である。
【図４】本発明の第１の実施形態において、指針部と、カレンダ機構の一部分を示す部分断面図である。
【図５】本発明の第１の実施形態において、ムーブメントを文字板側から見たときのカレンダ機構を示す平面図である。
【図６】本発明の第１の実施形態において、「２９日」を表示している状態の第一日車、第二日車、日回し車などを示す平面図である。
【図７】本発明の第１の実施形態において、「３０日」を表示している状態の第一日車、第二日車、日回し車などを示す平面図である。
【図８】本発明の第１の実施形態において、「３１日」を表示している状態の第一日車、第二日車、日回し車などを示す平面図である。
【図９】本発明の第１の実施形態において、「１日」を表示している状態の第一日車、第二日車、日回し車などを示す平面図である。
【図１０】本発明の第１の実施形態において、表輪列、カレンダ機構などを示すブロック図である。
【図１１】本発明の第１の実施形態において、文字板の「１２時方向」に日窓を配置した構成におけるコンプリートを示す平面図である。
【図１２】本発明の第２の実施形態において、文字板の「３時方向」に日窓を配置した構成において、ムーブメントを文字板側から見たときの第一日車および第二日車などの構造を示す概略平面図である。
【図１３】本発明の第２の実施形態において、ムーブメントを文字板側から見たときのカレンダ機構を示す平面図である。
【図１４】本発明の第２の実施形態において、文字板の「３時方向」に日窓を配置した構成におけるコンプリートを示す平面図である。
【図１５】本発明の第３の実施形態において、文字板の「６時方向」に日窓を配置した構成において、ムーブメントを文字板側から見たときの第一日車および第二日車などの構造を示す概略平面図である。
【図１６】本発明の第３の実施形態において、文字板の「６時方向」に日窓を配置した構成におけるコンプリートを示す平面図である。
【図１７】本発明の第４の実施形態において、ムーブメントを文字板側から見たときのカレンダ機構、秒表示機構などを示す平面図である。
【符号の説明】
【００６８】
１００  ムーブメント
１０２  地板
１０４  文字板
１１０  巻真
１４０  五番車
１４２  秒車
１５０  三番車
１５２  分車
１６０  筒車
５１０  日回し車
５１２  第一日車
５１４  日ジャンパ
５２２  第二日車
５３２  駆動カム
５４２  駆動カムレバー
５４４  回転制御レバー
５４６  回転制御レバーばね
【図１】
0004692968.tif 000002
【図２】
0004692968.tif 000003
【図３】
0004692968.tif 000004
【図４】
0004692968.tif 000005
【図５】
0004692968.tif 000006
【図６】
0004692968.tif 000007
【図７】
0004692968.tif 000008
【図８】
0004692968.tif 000009
【図９】
0004692968.tif 000010
【図１０】
0004692968.tif 000011
【図１１】
0004692968.tif 000012
【図１２】
0004692968.tif 000013
【図１３】
0004692968.tif 000014
【図１４】
0004692968.tif 000015
【図１５】
0004692968.tif 000016
【図１６】
0004692968.tif 000017
【図１７】
0004692968.tif 000018